(57)【要約】【課題】所望の文字を直感的に選択して入力することができるロータリ・３次元入力装置による文字入力方法を提供する。【解決手段】表示部２０に表示された５０音の複数の行から、操作入力部２１に対する水平操作に基づいて所望の文字が含まれる行をカーソル２０８によって選択するステップと、操作入力部２１に対するロータリ操作に基づいて所望の文字を選択するステップと、操作入力部２１に対する水平操作に基づいてカーソル２０８を他の行に移動させることによって所望の文字の入力を確定するステップと、を含むロータリ・３次元入力装置による文字入力方法を提供する。【選択図】図５
2010257076.tif 000002
【特許請求の範囲】
【請求項１】
表示部に表示された５０音の複数の行から、操作入力部に対する第１の操作に基づいて所望の文字が含まれる行をカーソルによって選択するステップと、
前記操作入力部に対するロータリ操作に基づいて前記所望の文字を選択するステップと、
前記操作入力部に対する第２の操作に基づいて前記カーソルを他の行に移動させることによって前記所望の文字の入力を確定するステップと、
を含むロータリ・３次元入力装置による文字入力方法。
【請求項２】
表示部に表示された５０音の複数の行から、操作入力部に対する操作に基づいて所望の文字が含まれる行をカーソルによって選択するステップと、
前記操作入力部に対するロータリ操作に基づいて前記所望の文字を選択するステップと、
前記操作入力部に対するプッシュ操作に基づいて前記所望の文字の入力を確定するステップと、
を含むロータリ・３次元入力装置による文字入力方法。
【請求項３】
前記所望の文字が含まれる行をカーソルによって選択するステップは、選択された前記行の先頭の文字を前記表示部に表示するステップを含み、前記所望の文字が前記先頭の文字であるとき、前記ロータリ操作に基づく前記所望の文字を選択するステップを行うことなく、前記所望の文字の入力を確定するステップが行われる請求項１又は２に記載のロータリ・３次元入力装置による文字入力方法。
【請求項４】
前記ロータリ・３次元入力装置は、水平操作、傾倒操作、前記ロータリ操作及び前記プッシュ操作を可能にする操作ノブを含む請求項１〜３に記載のロータリ・３次元入力装置による文字入力方法。
【発明の詳細な説明】
【技術分野】
【０００１】
本発明は、ロータリ操作、水平操作及びプッシュ操作を可能とするロータリ・３次元入力装置による文字入力方法に関する。
【背景技術】
【０００２】
従来の技術として、読みがな入力部、５０音のひらがなで構成されるひらがな入力部、及び読みがな入力部の入力内容をクリアするためのクリアボタンを表示画面に表示する表示部を備えたナビゲーション装置が知られている（例えば、特許文献１参照。）。
【０００３】
このナビゲーション装置によると、表示部に５０音のひらがなが表示されているので、ユーザは、表示されたひらがなにタッチすることによって容易に所望の文字を入力することができる。
【先行技術文献】
【特許文献】
【０００４】
【特許文献１】特開２００８−８２８５８号公報
【発明の概要】
【発明が解決しようとする課題】
【０００５】
しかし、従来のナビゲーション装置は、５０音を構成する全てのひらがなを表示部に表示するため、各ボタンが小さく、選択し難いという問題があった。
【０００６】
本発明の目的は、所望の文字を直感的に選択して入力することができるロータリ・３次元入力装置による文字入力方法を提供することにある。
【課題を解決するための手段】
【０００７】
本発明の一態様は、表示部に表示された５０音の複数の行から、操作入力部に対する第１の操作に基づいて所望の文字が含まれる行をカーソルによって選択するステップと、前記操作入力部に対するロータリ操作に基づいて前記所望の文字を選択するステップと、前記操作入力部に対する第２の操作に基づいて前記カーソルを他の行に移動させることによって前記所望の文字の入力を確定するステップと、を含むロータリ・３次元入力装置による文字入力方法を提供する。
【０００８】
本発明の他の一態様は、表示部に表示された５０音の複数の行から、操作入力部に対する操作に基づいて所望の文字が含まれる行をカーソルによって選択するステップと、前記操作入力部に対するロータリ操作に基づいて前記所望の文字を選択するステップと、前記操作入力部に対するプッシュ操作に基づいて前記所望の文字の入力を確定するステップと、を含むロータリ・３次元入力装置による文字入力方法を提供する。
【発明の効果】
【０００９】
本発明によれば、所望の文字を直感的に選択して入力することができる。
【図面の簡単な説明】
【００１０】
【図１】図１は、本発明の第１の実施の形態に係るロータリ・３次元入力装置を採用したカーナビゲーション装置が搭載された車両内部の概略図である。
【図２】図２は、本発明の第１の実施の形態に係るカーナビゲーション装置のブロック図である。
【図３】図３は、本発明の第１の実施の形態に係る表示部に表示された表示画像の概略図である。
【図４】図４（ａ）〜（ｄ）は、本発明の第１の実施の形態に係る文字入力方法に関する概略図である。
【図５】図５は、本発明の第１の実施の形態に係るフローチャートである。
【図６】図６（ａ）〜（ｄ）は、本発明の第２の実施の形態に係る文字入力方法に関する概略図である。
【図７】図７は、本発明の第２の実施の形態に係るフローチャートである。
【図８】図８（ａ）〜（ｄ）は、本発明の第３の実施の形態に係る文字入力方法に関する概略図である。
【図９】図９は、本発明の第３の実施の形態に係るフローチャートである。
【発明を実施するための形態】
【００１１】
[第１の実施の形態]
（カーナビゲーション装置の構成）
図１は、本発明の第１の実施の形態に係るロータリ・３次元入力装置を採用したカーナビゲーション装置が搭載された車両内部の概略図である。以下では、ロータリ・三次元入力装置の一例としての操作入力部２１が接続されたカーナビゲーション装置２について説明する。
【００１２】
車両１は、図１に示すように、運転席と助手席の間の車両前方に設けられ、各種スイッチ等が配置されたセンターコンソール１０を有している。このセンターコンソール１０には、カーナビゲーション装置２が設けられている。
【００１３】
（カーナビゲーション装置の構成）
図２は、本発明の第１の実施の形態に係るカーナビゲーション装置のブロック図である。カーナビゲーション装置２は、図２に示すように、表示部２０と、記憶部２２と、検索部２３と、ＧＰＳ（Global Positioning System）２４と、ＥＣＵ（Electronic Control Unit）２００とを備えて概略構成されている。また、このカーナビゲーション装置２には、図２に示すように、操作入力部２１が接続されている。
【００１４】
表示部２０は、センターコンソール１０に配置され、例えば、液晶ディスプレイから構成されている。
【００１５】
（操作入力部の構成）
操作入力部２１は、ロータリ・３次元入力装置の一例であり、センターコンソール１０に配置された、円筒形状を有する操作ノブ２１０を備え、この操作ノブ２１０は回転操作、プッシュ操作、Ｘ、Ｙ軸方向への水平操作が可能である。回転操作は、操作ノブ２１０に連動したロータリスイッチ２１４、プッシュ操作は、操作ノブ２１０が押されたことを検出するプッシュスイッチ２１３、水平操作は、操作ノブ２１０のＸ軸の移動量を検出するＸ軸センサ２１１、Ｙ軸の移動量を検出するＹ軸センサ２１２を備えている。水平操作は、操作領域と表示部２０の画面領域が1対1に対応しており、画面領域に対して絶対入力操作が可能である。これにより、水平操作、回転操作、プッシュ操作を持ち換えなしで操作ができ、絶対入力操作にて表示部２０上の操作項目を選択し、回転操作にて設定値調整し、プッシュ操作で確定と一連の操作をシームレスに実施することが可能となる。
【００１６】
また、操作入力部２１は、ＥＣＵ２１Ａを備えている。ＥＣＵ２１Ａは、このＸ軸センサ２１１、Ｙ軸センサ２１２、プッシュスイッチ２１３及びロータリスイッチ２１４から出力された信号に基づいて操作ノブ２１０に対して行われた操作の操作信号をカーナビゲーション装置２のＥＣＵ２００に出力する。なお、この操作ノブ２１０の配置位置は、センターコンソール１０に限定されず、例えば、視線移動が少ない位置やアームレスト付近等の操作者の操作し易い位置であれば良い。
【００１７】
プッシュ操作は、例えば、図１に示す矢印Ａ方向に操作ノブ２１０を押し下げる操作であり、操作ノブ２１０は、プッシュ操作の後、図示しない弾性部材による反力によってプッシュ操作の前の状態に戻るように構成されている。プッシュスイッチ２１３は、プッシュ操作に基づいた信号をＥＣＵ２１Ａに出力する。
【００１８】
ロータリ操作は、例えば、図１に示す矢印Ｂ及びＣ方向に操作ノブ２１０を回転する操作である。ロータリスイッチ２１４は、ロータリ操作に基づいた信号をＥＣＵ２１Ａに出力する。ここで、矢印Ｂ方向とは、時計回りの方向であり、矢印Ｃ方向とは、反時計回りの方向である。
【００１９】
水平操作は、例えば、表示部２０に表示される後述するカーソルを移動させたい方向に、操作ノブ２１０を水平移動させる操作である。
【００２０】
ここで、例えば、Ｘ軸は、表示部２０の水平方向に対して平行な軸であり、Ｙ軸は、表示部２０の垂直方向に対して平行な軸であり、操作ノブ２１０の回転中心をＸ−Ｙ座標系の原点としている。例えば、操作ノブ２１０が水平操作されたとき、操作ノブ２１０が移動したＸ−Ｙ座標系上の方向、もしくは座標に基づいた信号をＥＣＵ２１Ａに出力し、ＥＣＵ２１Ａは、入力した信号に基づいた操作信号をＥＣＵ２００に出力し、ＥＣＵ２００は、この操作信号に基づいて表示部２０に表示される後述するカーソルを操作ノブ２１０と同方向に、水平操作の継続時間の間、移動させるように構成されている。
【００２１】
記憶部２２は、例えば、ＨＤＤ（Hard Disk Drive）やメモリ等の記憶装置によって構成され、地図データや住所データ等を格納している。
【００２２】
検索部２３は、例えば、後述する入力領域に入力された目的地の住所や建物名を、住所データ等から検索し、検索した結果に基づいて現在地から目的地までの道順等を算出する。
【００２３】
ＧＰＳ２４は、人工衛星を利用した全地球測位システムに基づいて車両１の現在地等の情報を得るものである。
【００２４】
（表示画像の構成）
図３は、本発明の第１の実施の形態に係る表示部に表示された表示画像の概略図である。この表示部２０に表示された表示画像２０１は、例えば、目的地の検索用の入力画面である。
【００２５】
表示部２０は、図３に示すように、表示画像２０１を表示する。表示画像２０１は、図３に示すように、ボタン群２０２と、選択状態ボタン２０３と、戻るボタン２０４と、消去ボタン２０５と、文字入力領域としての入力領域２０６と、入力修正カーソル２０７と、カーソル２０８と、入力文字列２０９と、を備えて概略構成されている。
【００２６】
ボタン群２０２は、入力領域２０６に所望の文字を入力するために使用され、主に５０音の複数の行に対応する複数のボタンから構成されている。
【００２７】
選択状態ボタン２０３は、例えば、カーソル２０８によって選択されたボタンのことであり、通常の表示よりも少し大きいアイコンとして表示部２０に表示される。
【００２８】
戻るボタン２０４は、例えば、この表示画像２０１を表示する前の画像を表示させることができるボタンである。
【００２９】
消去ボタン２０５は、例えば、入力領域２０６に表示された入力修正カーソル２０７上の文字の消去、又は、入力修正カーソル２０７の左側にある文字の消去を行うことができるボタンである。
【００３０】
入力領域２０６は、例えば、文字が入力される領域である。この入力領域２０６に入力された入力文字列２０９は、ボタン群２０２の「完了」ボタン上にカーソル２０８を重ね、操作ノブ２１０に対してプッシュ操作が行われることによって、例えば、目的地の名前として確定され、検索部２３は、この確定された目的地の名前、及びＧＰＳ２４からの現在地等に基づいて現在地から目的地までの道順等を算出する。
【００３１】
入力修正カーソル２０７は、入力領域２０６内を移動するカーソルである。
【００３２】
カーソル２０８は、例えば、操作ノブ２１０の水平操作に基づいて表示画像２０１内を移動するものである。
【００３３】
入力文字列２０９は、入力領域２０６に入力された文字である。
【００３４】
（第１の実施の形態の動作）
図４（ａ）〜（ｄ）は、本発明の第１の実施の形態に係る文字入力方法に関する概略図である。図４（ａ）〜（ｄ）は、左側は表示画像を示し、右側は操作ノブの操作について示している。また、以下の各図に示す白抜きの矢印は、操作ノブ２１０に対する操作によってカーソル２０８の移動する方向を示している。
【００３５】
以下に本実施の形態に係る操作入力部を用いた文字入力方法について各図を参照し、図５に示すフローチャートに従って説明する。入力領域２０６に入力された入力文字列２０９「あいちけん」に文字「と」を入力する場合を例に説明する。
【００３６】
まず、操作者は、図４（ａ）に示すように、操作ノブ２１０に対して第１の操作としての水平操作を行い、カーソル２０８を所望の文字が含まれる「た行」ボタン上に移動させる（Ｓ１）。
【００３７】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００３８】
次に、操作者は、図４（ｂ）に示すように、操作ノブ２１０を矢印Ｃ方向にロータリ操作を行い、入力する所望の文字を選択する（Ｓ２）。
【００３９】
このとき、ＥＣＵ２１Ａは、ロータリスイッチ２１４から出力される信号に基づいた操作信号をＥＣＵ２００に出力し、ＥＣＵ２００は、図４（ｂ）に示すように、この操作信号に基づいて「た」を、入力領域２０６と「た行」ボタンに表示させる。さらにロータリ操作が継続して行われたとき、ＥＣＵ２１Ａは、図４（ｃ）に示すように、ロータリスイッチ２１４から出力される信号に基づいた操作信号をＥＣＵ２００に出力し、ＥＣＵ２００は、この操作信号に基づいて「た」から「ち」、「つ」、「て」、「と」と順に入力領域２０６と「た行」ボタンに表示させる。
【００４０】
次に、操作者は、例えば、図４（ｄ）に示すように、操作ノブ２１０に対して矢印Ｄ方向に第２の操作としての水平操作を行って「た行」ボタン以外のボタンにカーソル２０８を移動させることで文字「と」の入力を確定し（Ｓ３）、文字の入力操作を終了する。
【００４１】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて文字「と」を入力された文字として確定する。
【００４２】
（第１の実施の形態の効果）
本実施の形態に係る文字入力方法によれば、所望の文字を直感的に選択して入力することができる。
【００４３】
［第２の実施の形態］
第２の実施の形態は、プッシュ操作によって入力された文字を確定する点において、第１の実施の形態と異なっている。なお、以下に記載の各実施の形態において、第１の実施の形態と機能及び構成を有する部分は、同じであるので共通の符号を付し、その説明は省略又は簡素化するものとする。
【００４４】
（第２の実施の形態の動作）
図６（ａ）〜（ｄ）は、本発明の第２の実施の形態に係る文字入力方法に関する概略図である。図６（ａ）〜（ｄ）は、左側は表示画像を示し、右側は操作ノブの操作について示している。
【００４５】
以下に本実施の形態に係る操作入力部を用いた文字入力方法について各図を参照し、図７に示すフローチャートに従って説明する。入力領域２０６に入力された入力文字列２０９「あいちけん」に文字「と」を入力する場合を例に説明する。
【００４６】
まず、操作者は、図６（ａ）に示すように、操作ノブ２１０に対して水平操作を行い、カーソル２０８を所望の文字が含まれる「た行」ボタン上に移動させる（Ｓ２０）。
【００４７】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。
【００４８】
次に、操作者は、図６（ｂ）に示すように、操作ノブ２１０を矢印Ｃ方向にロータリ操作を行い、入力する所望の文字を選択する（Ｓ２１）。
【００４９】
このとき、ＥＣＵ２１Ａは、ロータリスイッチ２１４から出力される信号に基づいた操作信号をＥＣＵ２００に出力し、ＥＣＵ２００は、図６（ｂ）に示すように、この操作信号に基づいて「た」を、入力領域２０６と「た行」ボタンに表示させる。さらにロータリ操作が継続して行われたとき、ＥＣＵ２１Ａは、ロータリスイッチ２１４から出力される信号に基づいた操作信号をＥＣＵ２００に出力し、ＥＣＵ２００は、図６（ｃ）に示すように、この操作信号に基づいて「た」から「ち」、「つ」、「て」、「と」と順に入力領域２０６と「た行」ボタンに表示させる。
【００５０】
次に、操作者は、例えば、図６（ｄ）に示すように、操作ノブ２１０に対してプッシュ操作を行って文字「と」の入力を確定し（Ｓ２２）、文字の入力操作を終了する。
【００５１】
このとき、ＥＣＵ２１Ａは、プッシュスイッチ２１３から出力される信号に基づいた操作信号をＥＣＵ２００に出力し、ＥＣＵ２００は、この操作信号に基づいて文字「と」を入力された文字として確定する。
【００５２】
（第２の実施の形態の効果）
本実施の形態に係る文字入力方法によれば、所望の文字を直感的に選択して入力することができる。
【００５３】
［第３の実施の形態］
第３の実施の形態は、所望の文字を選択するときのロータリ操作の操作量を減らすことができる点において、第１及び第２の実施の形態と異なっている。
【００５４】
本実施の形態におけるボタン群２０２に含まれる「あかさたな・・・」等を表記したボタンは、第１及び第２の実施の形態におけるボタンに比べて「行」の文字が削除され簡単化されている。なお、本実施の形態は、第１及び第２の実施の形態と同様に、例えば、ボタンに「あ行」と表示し、操作者によってカーソルが「あ行」ボタンに移動されたとき、入力領域２０６及びボタン上に「あ」が表示され、さらに、ロータリ操作によって「あ」、「い」、「う」、「え」、「お」と順に表示させて、所望の文字を選択するようにしても良い。
【００５５】
（第３の実施の形態の動作）
図８（ａ）〜（ｄ）は、本発明の第３の実施の形態に係る文字入力方法に関する概略図である。図８（ａ）〜（ｄ）は、左側は表示画像を示し、右側は操作ノブの操作について示している。
【００５６】
以下に本実施の形態に係る操作入力部を用いた文字入力方法について各図を参照し、図９に示すフローチャートに従って説明する。入力領域２０６に入力された入力文字列２０９「あいちけん」に文字「と」を入力する場合を例に説明する。
【００５７】
まず、操作者は、図８（ａ）に示すように、操作ノブ２１０に対して水平操作を行い、カーソル２０８を所望の文字が含まれる「た」ボタン上に移動させる（Ｓ３０）。
【００５８】
このとき、ＥＣＵ２１Ａは、Ｘ軸センサ２１１及びＹ軸センサ２１２から出力される信号に基づいた操作信号をＥＣＵ２００に出力し、ＥＣＵ２００は、この操作信号に基づいて表示部２０に表示されるカーソル２０８を操作ノブ２１０の水平操作方向に移動させる。続いて、ＥＣＵ２００は、図８（ａ）に示すように、「た」を入力領域２０６に表示させる。つまり、ＥＣＵ２００は、行のボタンがカーソル２０８によって選択されたとき、選択された行の先頭の文字を表示部２０の入力領域２０６及び選択されたボタンに表示する。よって、所望の文字が先頭の文字であるとき、操作者は、ロータリ操作に基づく所望の文字を選択することなく、所望の文字の入力を確定することができる。
【００５９】
次に、操作者は、図８（ｂ）に示すように、操作ノブ２１０を矢印Ｃ方向にロータリ操作を行い、入力する所望の文字を選択する（Ｓ３１）。
【００６０】
このとき、ＥＣＵ２１Ａは、ロータリスイッチ２１４から出力される信号に基づいた操作信号をＥＣＵ２００に出力し、ＥＣＵ２００は、図８（ｂ）及び（ｃ）に示すように、この操作信号に基づいて「ち」、「つ」、「て」、「と」と順に入力領域２０６と「た」ボタンに表示させる。
【００６１】
次に、操作者は、例えば、図８（ｄ）に示すように、操作ノブ２１０に対してプッシュ操作を行って文字「と」の入力を確定し（Ｓ３２）、文字の入力操作を終了する。
【００６２】
このとき、ＥＣＵ２１Ａは、プッシュスイッチ２１３から出力される信号に基づいた操作信号をＥＣＵ２００に出力し、ＥＣＵ２００は、この操作信号に基づいて文字「と」を入力された文字として確定する。
【００６３】
（第３の実施の形態の効果）
本実施の形態に係る文字入力方法によれば、所望の文字を直感的に選択して入力することができる。また、カーソル２０８をボタン上に移動させることで、行の先頭の文字を選択することができるので、ロータリ操作の操作量を減らすことができる。
【００６４】
なお、本発明は、上記した実施の形態に限定されず、本発明の技術思想を逸脱あるいは変更しない範囲内で種々の変形および組み合わせが可能である。
【００６５】
例えば、上記の各実施の形態は、「た行」の文字の入力について説明したが、他の行の文字の入力も同様である。また、ボタン群２０２は、上記の例に限定されず、数字が入力できるボタンやアルファベットのボタン等を備えても良い。
【００６６】
また、ロータリ操作による文字の選択は、例えば、「た」、「だ」、「ち」・・・のように濁音を間に挟んで選択できるようにしても良いし、「あ」、「ぁ」、「い」、「ぃ」・・・のように小文字を間に挟んで選択できるようにしても良い。
【００６７】
また、例えば、上記の各実施の形態においては、操作入力部２１によって、文字の入力を行っていたが、これに限定されず、非接触センサを含んで構成されるタッチパッドに対するジェスチャに基づいてロータリ操作、プッシュ操作、傾倒操作を検出して、カーソル及び入力修正カーソルを移動させても良い。
【００６８】
また、例えば、操作入力部２１は、プッシュ操作を行えるとしたが、プッシュボタンを別に設けても良い。
【００６９】
また、例えば、操作ノブ２１０は、操作ノブ２１０が取り付けられたパネル面に対して傾倒操作可能に構成されていても良い。
【００７０】
また、上記の各実施の形態においてカーナビゲーション装置を例にとってロータリ・３次元入力装置による文字入力方法を説明したが、これに限定されず、例えば、文字の入力が必要なカーオーディオ装置等の電子機器に適用可能である。
【符号の説明】
【００７１】
１…車両、２…カーナビゲーション装置、１０…センターコンソール、２０…表示部、２１…操作入力部、２１Ａ…ＥＣＵ、２２…記憶部、２３…検索部、２４…ＧＰＳ、２００…ＥＣＵ、２０１…表示画像、２０２…ボタン群、２０３…選択状態ボタン、２０４…戻るボタン、２０５…消去ボタン、２０６…入力領域、２０７…入力修正カーソル、２０８…カーソル、２０９…入力文字列、２１０…操作ノブ、２１１…Ｘ軸センサ、２１２…Ｙ軸センサ、２１３…プッシュスイッチ、２１４…ロータリスイッチ
【図１】
2010257076.tif 000003
【図２】
2010257076.tif 000004
【図３】
2010257076.tif 000005
【図４】
2010257076.tif 000006
【図５】
2010257076.tif 000007
【図６】
2010257076.tif 000008
【図７】
2010257076.tif 000009
【図８】
2010257076.tif 000010
【図９】
2010257076.tif 000011